(57)【要約】【課題】着脱可能な中仕切りパーツを比較的簡素な構造且つ比較的小サイズとすることができて多品種少量生産にも対応することができ、複数個の中仕切りパーツによって区画される物品収容ポケットのピッチ寸法を正確に設定可能な中仕切り容器を提供する。【解決手段】中仕切り容器は、底壁１１及び前後左右の側壁１２，１３から構成される容器本体１と、その容器本体１内に多数の物品収容ポケットを区画すべく着脱自在に構成された複数個の中仕切りパーツ２とを具備する。底壁１１には、中仕切りパーツ２の横幅に相当する間隔を隔てて互いに平行に設けられた７つのパーツ保持壁１４が一体成形されている。それらパーツ保持壁１４の各々の側面には、中仕切りパーツ２の両サイド２４を挿入可能な複数の保持溝１６が等間隔に並んで形成されている。【選択図】  図１
2005247347.tif 000002
【特許請求の範囲】
【請求項１】
水平な底壁及びその底壁の周縁部から略垂直に立設された複数の側壁から構成される容器本体と、その容器本体内に多数の物品収容ポケットを区画すべく着脱自在に構成された複数個の中仕切りパーツとを具備した中仕切り容器であって、
前記底壁には、中仕切りパーツの横幅に略相当する間隔を隔てて互いに平行に設けられた複数のパーツ保持壁が一体成形され、それら複数のパーツ保持壁の各々の側面には、中仕切りパーツの横幅方向一端部を係合可能な複数の係合保持部が等間隔に並んで形成されていることを特徴とする中仕切り容器。
【請求項２】
前記中仕切りパーツは、垂立する薄板状の背板と、その背板の一方の面に突設されると共に横幅方向に所定間隔を隔てつつ垂直に延びる左右一対のポケット側壁部とを少なくとも有しており、
複数個の中仕切りパーツが隣り合う二つのパーツ保持壁間に直列に並んだ状態で保持されたとき、前後に並んだ二つの中仕切りパーツ間には、一方の中仕切りパーツの背板、並びに、他方の中仕切りパーツの背板及び左右一対のポケット側壁部の少なくとも四面によって一単位の物品収容ポケットが区画形成されることを特徴とする請求項１に記載の中仕切り容器。
【請求項３】
水平な底壁及びその底壁の周縁部から略垂直に立設された複数の側壁から構成される容器本体（１）と、その容器本体内に多数の物品収容ポケットを区画すべく着脱自在に構成された複数個の中仕切りパーツ（２）とを具備した中仕切り容器であって、
前記底壁の周縁部以外の底壁上面には、中仕切りパーツの横幅に略相当する間隔を隔てて互いに平行に設けられた複数のパーツ保持壁（１４）が一体成形され、
それら複数のパーツ保持壁の各々の側面には、垂直方向に延びると共に中仕切りパーツの横幅方向一端部を挿入可能な複数の保持溝（１６）が等間隔に並んで形成され、
前記中仕切りパーツは、垂立する薄板状の背板（２１）と、その背板の一方の面に突設されると共に横幅方向に所定間隔を隔てつつ垂直に延びる左右一対のポケット側壁部（２２）とを少なくとも有しており、
各中仕切りパーツの背板の横幅方向両端部（２４）を隣り合う二つのパーツ保持壁の各保持溝にそれぞれ挿入することで、当該二つのパーツ保持壁間に複数個の中仕切りパーツを等間隔に直列に並んだ状態で保持すると共に、前後に並んだ二つの中仕切りパーツ間に、一方の中仕切りパーツの背板、並びに、他方の中仕切りパーツの背板及び左右一対のポケット側壁部の少なくとも四面によって一単位の物品収容ポケットを区画形成することを特徴とする中仕切り容器。
【請求項４】
前記各パーツ保持壁の側面における各保持溝の幅（Ｗ１）は、その下端部から上端部に向けて次第に広くなるように設定されており、
前記中仕切りパーツの背板の少なくとも横幅方向両端部の肉厚（Ｔ２〜Ｔ３）は、前記保持溝の幅設定に符合するように、下端部から上端部に向けて次第に厚くなるように設定されていることを特徴とする請求項３に記載の中仕切り容器。
【請求項５】
前記中仕切りパーツの背板の横幅方向両端部の各々には、係合凸部が設けられ、
前記パーツ保持壁の各保持溝には、前記背板の係合凸部と対応する係合凹部が設けられていることを特徴とする請求項３又は４に記載の中仕切り容器。
【発明の詳細な説明】
【技術分野】
【０００１】
本発明は、着脱自在な中仕切りパーツを複数個用いて、容器本体内に多数の物品収容ポケットを区画してなる中仕切り容器に関するものである。
【背景技術】
【０００２】
一般に合成樹脂製の中仕切り容器では、底壁及び四つの側壁によって構成される容器本体内に縦横に走る複数の中仕切り壁を設けて物品等の収容ポケットを区画している。かかる中仕切り容器は、中仕切り壁の全てが容器本体に一体化されているタイプ（仮に完全固定タイプと呼ぶ）と、中仕切り壁の全てが容器本体に対して着脱自在な別パーツとして構成されているタイプ（仮に自在仕切りタイプと呼ぶ）とに大別される。上記完全固定タイプでは、本体部と中仕切り壁部とを一体として樹脂成形するため、成形用金型からの抜き勾配が必要となり、全ての壁部の壁面が微妙に傾斜している。特に物品収容ポケットを区画する中仕切り壁の壁面が傾斜していること（即ち完全直立状態にないこと）は、収容対象となる物品によっては不都合を生じる場合がある。また、従来の自在仕切りタイプでは、別パーツ化された薄板状の中仕切り壁部材の剛性が不足がちで、容器本体への装着後も外力を受けると変形し易い等の弱点があり、収容対象となる物品によっては不都合を生じる場合がある。
【０００３】
特許文献１は、従来の完全固定タイプ及び自在仕切りタイプがそれぞれ有していた欠点を解消するニュータイプの中仕切り容器を開示する。そのニュータイプでは、複数個の中仕切り部材ｐを直列連結して直方体ブロック状の中仕切り群Ｐを構成し、その中仕切り群Ｐを容器本体Ｃ内に嵌合することで一個の中仕切り容器を構築している。中仕切り群Ｐの構成単位たる中仕切り部材ｐは、容器本体Ｃの深さに略相当する高さ及び容器本体Ｃの内幅に相当する長さを有する板状基板を基本骨格とし、その板状基板の壁面を一方向に膨出させることで、各中仕切り部材ｐには合計９つの箱状凸部が横並びに形成されると共に、それら９つの箱状凸部間には８つの凹み部が確保されている。そして、合計３３個の中仕切り部材ｐを直列連結することで、前後に隣り合う中仕切り部材ｐ間に前記８つの凹み部に由来する８つの物品収容ポケットを構築している。即ち、中仕切り部材ｐの３３連結により（３３−１）×８＝２５６個のポケットを有する中仕切り群Ｐを構築し、それを容器本体Ｃ内に嵌合保持している。特許文献１の中仕切り容器によれば、各ポケットの内壁面（つまり板状基板の箱状凸部や凹み部の構成面）を直立状態とすることができ、又、各ポケットの壁部の剛性を従来の自在仕切りタイプの場合よりも高めることができる。
【０００４】
しかしながら、かように優れた特徴を有する特許文献１の中仕切り容器にも欠点がないわけではなく、あえて欠点を指摘するならば、次のような点があげられる。
【０００５】
第１に、中仕切り部材ｐはそれ自体の製造コストが高くつく。中仕切り容器における物品収容ポケットのサイズや形状に関する要求は多種多様であり、中仕切り容器の提供メーカーとしては利幅の薄い多品種少量生産にも対応しなければならないという切実な事情がある。そのためには、個々の中仕切りパーツが構造的にできるだけ簡素であってパーツ自体のサイズもできるだけ小さい方が、金型投資が少なくて済み採算性を確保し易い。しかし、特許文献１の中仕切り部材ｐにあっては非常に複雑な凹凸形状と容器本体Ｃの内幅に相当する長さとが必須であり、製造コスト（特に金型投資）の低減が本質的に難しい。
【０００６】
第２に、中仕切り部材ｐはその厚み方向寸法（即ち直列連結方向の肉厚）の公差管理をかなり厳密に行う必要がある。中仕切り部材ｐは３３個を直列連結して使用するため、個々の中仕切り部材ｐの厚み方向寸法のずれが僅かであっても、中仕切り群Ｐの連結方向長さのずれは３３倍に膨らむ。このため、中仕切り部材ｐの連結方向においてポケットピッチ寸法に大きな狂いやばらつきが生じ易いという欠点がある。
【０００７】
特にこの点に関連して、特許文献１の中仕切り容器を特殊な用途に使用した場合に重大な不都合を生じることがある。特殊な用途とは、例えば２５６個のポケットの各々に精密電子部品を収容し、２５６個全ての精密電子部品に対して品質検査装置（テスター）のテスト端子対（２５６対）を同時接触させ、全部品に同時通電して一度に品質検査を完了するというような用途（精密電子部品の品質検査用トレーとしての用途）があげられる。かかる用途ではポケットピッチ寸法に狂い等があると、３２×８列のマトリックス状に配列された２５６個の精密電子部品と、それらに１対１で対応させるべく設けられた２５６のテスト端子対との機械的又は電気的接触が不完全となり、２５６個同時の品質検査が成立しない可能性がある。
【０００８】
また、各ポケットに収容された精密電子部品に対して品質検査装置のテスト端子対を接触させる際に、テスト端子対を中仕切り部材ｐの直列連結方向に沿って相対移動させ、各ポケットの内壁（直立壁）によって移動を規制された精密電子部品に対してテスト端子対を押し付け、テスト端子対と精密電子部品との接触を確実ならしめるという接触方式が採用されることがある。その際に、一群のテスト端子対からの押圧力（荷重）に負けて個々の中仕切り部材ｐが容器本体Ｃ内で微妙に変位したり弾性変形したりすることがあり、その場合には、精密電子部品とテスト端子対との間の十分な接触圧を確保できない。精密電子部品に対するテスト端子対の接触圧が不足すると、検査ミスの発生頻度が高まり、品質検査の信頼性が低下する。
【０００９】
【特許文献１】特開２００１−１３９０３３号公報
【発明の開示】
【発明が解決しようとする課題】
【００１０】
本発明の目的は、着脱可能な中仕切りパーツを比較的簡素な構造且つ比較的小サイズとすることができ、比較的安価に製造できて多品種少量生産にも柔軟に対応することが可能な中仕切り容器を提供することにある。また、複数個の中仕切りパーツによって区画される物品収容ポケットのピッチ寸法を正確に設定することが可能な中仕切り容器を提供することにある。更には、物品収容ポケットへの収容対象物が精密電子部品である場合に、その保管や搬送用の容器として役立つのみならず品質検査用トレーとしても使用することができ、しかも品質検査用トレーとして使用した場合には検査ミスを極力防止可能な中仕切り容器を提供することにある。
【課題を解決するための手段】
【００１１】
請求項１の発明は、水平な底壁及びその底壁の周縁部から略垂直に立設された複数の側壁から構成される容器本体と、その容器本体内に多数の物品収容ポケットを区画すべく着脱自在に構成された複数個の中仕切りパーツとを具備した中仕切り容器であって、前記底壁には、中仕切りパーツの横幅に略相当する間隔を隔てて互いに平行に設けられた複数のパーツ保持壁が一体成形され、それら複数のパーツ保持壁の各々の側面には、中仕切りパーツの横幅方向一端部を係合可能な複数の係合保持部が等間隔に並んで形成されていることを特徴とする中仕切り容器である。
【００１２】
請求項１によれば、各中仕切りパーツの横幅方向両端部を隣り合う二つのパーツ保持壁の各係合保持部にそれぞれ係合させることで、当該二つのパーツ保持壁間には、複数個の中仕切りパーツが等間隔に直列に並んだ状態で保持される。その結果、それら直列配列された複数個の中仕切りパーツ間には、複数の物品収容ポケットが直列に並んだ状態で区画される。この構成によれば、中仕切りパーツの横幅を比較的小さく設定又は設計したとしても、その横幅に合わせてパーツ保持壁間の平行間隔を設定することができる。このことは、中仕切りパーツ自体の構造の簡素化及びサイズの小型化を容易にし、中仕切りパーツのための金型投資を従来よりも低減させ、多品種少量生産でも採算性確保を容易ならしめる。また、個々の中仕切りパーツを保持するための係合保持部が設けられたパーツ保持壁は底壁に一体化されているため、底壁及びパーツ保持壁の一体成形時に、これら係合保持部の並び間隔（ピッチ寸法又はインターバル）を一義的に確定させることができる。従って、底壁及びパーツ保持壁の一体成形が正確である限り、各係合保持部に対して中仕切りパーツを装着した後も、物品収容ポケットの配列間隔（ポケットピッチ寸法）は、ばらつくことなく正確に保たれる。
【００１３】
請求項２の発明は、請求項１に記載の中仕切り容器において、前記中仕切りパーツは、垂立する薄板状の背板と、その背板の一方の面に突設されると共に横幅方向に所定間隔を隔てつつ垂直に延びる左右一対のポケット側壁部とを少なくとも有しており、複数個の中仕切りパーツが隣り合う二つのパーツ保持壁間に直列に並んだ状態で保持されたとき、前後に並んだ二つの中仕切りパーツ間には、一方の中仕切りパーツの背板、並びに、他方の中仕切りパーツの背板及び左右一対のポケット側壁部の少なくとも四面によって一単位の物品収容ポケットが区画形成されることを特徴とする。
【００１４】
請求項２によれば、複数個の中仕切りパーツを隣り合う二つのパーツ保持壁間に装着することにより、前後に並んだ二つの中仕切りパーツによる一対の背板、及び、いずれかの中仕切りパーツによる左右一対のポケット側壁部によって四方を囲まれた一単位の物品収容ポケットが区画される。即ち、一単位の物品収容ポケットの区画は二つの中仕切りパーツのみによって達成され、容器本体の側壁やパーツ保持壁そのものが物品収容ポケットの区画に直接関与することがない。それ故、容器本体が合成樹脂等で一体成形されるがために容器本体の側壁やパーツ保持壁の側面に抜き勾配に起因する傾斜が不可避的に付与されていたとしても、そのことは物品収容ポケットを区画している四つの面の直立性に影響を及ぼし得ない。従って、この中仕切り容器は、物品収容ポケットを区画する四つの面のうちの少なくとも一面において高い直立性を要求されるような用途に適している。
【００１５】
請求項３の発明は、水平な底壁及びその底壁の周縁部から略垂直に立設された複数の側壁から構成される容器本体（１）と、その容器本体内に多数の物品収容ポケットを区画すべく着脱自在に構成された複数個の中仕切りパーツ（２）とを具備した中仕切り容器であって、前記底壁の周縁部以外の底壁上面には、中仕切りパーツの横幅に略相当する間隔を隔てて互いに平行に設けられた複数のパーツ保持壁（１４）が一体成形され、それら複数のパーツ保持壁の各々の側面には、垂直方向に延びると共に中仕切りパーツの横幅方向一端部を挿入可能な複数の保持溝（１６）が等間隔に並んで形成され、前記中仕切りパーツは、垂立する薄板状の背板（２１）と、その背板の一方の面に突設されると共に横幅方向に所定間隔を隔てつつ垂直に延びる左右一対のポケット側壁部（２２）とを少なくとも有しており、各中仕切りパーツの背板の横幅方向両端部（２４）を隣り合う二つのパーツ保持壁の各保持溝にそれぞれ挿入することで、当該二つのパーツ保持壁間に複数個の中仕切りパーツを等間隔に直列に並んだ状態で保持すると共に、前後に並んだ二つの中仕切りパーツ間に、一方の中仕切りパーツの背板、並びに、他方の中仕切りパーツの背板及び左右一対のポケット側壁部の少なくとも四面によって一単位の物品収容ポケットを区画形成することを特徴とする中仕切り容器である。
【００１６】
請求項３によれば、底壁の周縁部において立設された側壁以外に、底壁上面に複数のパーツ保持壁を設けているため、中仕切りパーツの横幅を比較的小さく設定又は設計したとしても、その横幅に合わせてパーツ保持壁間の平行間隔を設定することができる。このことは、中仕切りパーツ自体の構造の簡素化及びサイズの小型化を容易にし、中仕切りパーツのための金型投資を従来よりも低減させ、多品種少量生産でも採算性確保を容易ならしめる。また、個々の中仕切りパーツの横幅方向一端部を保持するための保持溝が設けられたパーツ保持壁は底壁に一体化されているため、底壁及びパーツ保持壁の一体成形時に、これら保持溝の並び間隔（ピッチ寸法又はインターバル）を一義的に確定させることができる。従って、底壁及びパーツ保持壁の一体成形が正確である限り、各保持溝に対して中仕切りパーツを装着した後も、物品収容ポケットの配列間隔（ポケットピッチ寸法）は、ばらつくことなく正確に保たれる。
【００１７】
更に、各パーツ保持壁の側面に形成された各保持溝は垂直方向に延びており、それぞれの保持溝に中仕切りパーツの背板の横幅方向一端部を挿入することにより、中仕切りパーツが隣り合う二つのパーツ保持壁間に架け渡されて保持されると共に、その中仕切りパーツの背板が直立支持される。このため、仮に物品収容ポケットの一内壁面を構成する背板に対し、その面直方向（即ちパーツ保持壁に沿った方向）への荷重が作用したとしても、背板の横幅方向両端部及びそれぞれに対応する保持溝の係合関係に基づき、背板は前記面直方向荷重に抗して強固に保持される。従って、前記面直方向荷重によって中仕切りパーツの背板が変位したり弾性変形したりすることがない。加えて、一単位の物品収容ポケットの区画は二つの中仕切りパーツのみによって達成され、容器本体の側壁やパーツ保持壁そのものが物品収容ポケットの区画に直接関与することがない。それ故、容器本体が合成樹脂等で一体成形されるがために容器本体の側壁やパーツ保持壁の側面に抜き勾配に起因する傾斜が不可避的に付与されていたとしても、そのことは物品収容ポケットを区画している四つの面の直立性に影響を及ぼし得ない。従って、この中仕切り容器は、物品収容ポケットを区画する四つの面のうちの少なくとも一面（特に背板によって構成される面）において高い直立性を要求されるような用途に適している。
【００１８】
請求項４の発明は、請求項３に記載の中仕切り容器において、前記各パーツ保持壁の側面における各保持溝の幅（Ｗ１）は、その下端部から上端部に向けて次第に広くなるように設定されており、前記中仕切りパーツの背板の少なくとも横幅方向両端部の肉厚（Ｔ２〜Ｔ３）は、前記保持溝の幅設定に符合するように、下端部から上端部に向けて次第に厚くなるように設定されていることを特徴とする。
【００１９】
請求項４によれば、保持溝の幅、及び、各保持溝に挿入されるべき中仕切りパーツ背板の横幅方向両端部の肉厚は、互いに符合するように下端部から上端部に向けて次第に広く又は厚くなるように設定されている。このため、中仕切りパーツ背板の横幅方向両端部をそれぞれ対応する保持溝に対して上から下に挿入したときには、背板端部と保持溝との間の嵌合が隙間なく行われ、中仕切りパーツが隣り合う二つのパーツ保持壁間においてガタつくことなく強固に保持される。
【００２０】
請求項５の発明は、請求項３又は４に記載の中仕切り容器において、前記中仕切りパーツの背板の横幅方向両端部の各々には、係合凸部が設けられ、前記パーツ保持壁の各保持溝には、前記背板の係合凸部と対応する係合凹部が設けられていることを特徴とする。
【００２１】
請求項５によれば、中仕切りパーツ背板の横幅方向両端部をそれぞれ対応する保持溝に対し挿入したとき、背板側の係合凸部が保持溝側の係合凹部に係合する。そして、その相互係合関係により、中仕切りパーツの背板が保持溝から外れ難くなり、中仕切りパーツが隣り合う二つのパーツ保持壁間に確実に保持される。なお、前記係合凸部が中仕切りパーツ背板の横幅方向両端部の上端部付近に、又、前記係合凹部が保持溝の上端部付近にそれぞれ設けられていることは好ましい。その場合には、背板の下端部付近及び保持溝の下端部付近に係合凸部及び係合凹部をそれぞれ設けた場合よりも、背板の保持溝からの抜け止め効果が高く、しかも保持溝内での背板のガタつきを防止し易くなる。
【００２２】
（付記）本発明の更に好ましい態様や追加的構成要件を以下に列挙する。
付記イ：請求項１において、前記複数のパーツ保持壁は、底壁の周縁部以外の底壁の上面に一体成形された複数のパーツ保持壁（１４）であること。
【００２３】
付記ロ：請求項２又は３に記載の中仕切り容器において、前記中仕切りパーツは更に、背板の一方の面に突設されると共に前記左右一対のポケット側壁部をつなぐように水平に延びるポケット底壁部を有しており、複数個の中仕切りパーツが隣り合う二つのパーツ保持壁間に直列に並んだ状態で保持されたとき、前後に並んだ二つの中仕切りパーツ間には、一方の中仕切りパーツの背板、並びに、他方の中仕切りパーツの背板、左右一対のポケット側壁部及びポケット底壁部の五面によって一単位の物品収容ポケットが区画形成されること。
【００２４】
付記ハ：上記付記ロにおいて、前記中仕切りパーツのポケット底壁部には、垂直方向に貫通する凹部又は孔が形成されており、容器本体の底壁には、中仕切りパーツのポケット底壁部の前記凹部又は孔の真下において対応する挿通孔が貫通形成されていること。
【００２５】
付記ニ：請求項４において、前記中仕切りパーツの背板の横幅方向両端部は、その中仕切りパーツが装着される二つのパーツ保持壁の相対向する側面に付与された抜き勾配に符合するように傾斜していること。
【００２６】
付記ホ：請求項１〜６に記載の中仕切り容器は、精密電子部品の品質検査用トレーとして使用可能な中仕切り容器であること。
【発明の効果】
【００２７】
各請求項に記載の中仕切り容器によれば、着脱可能な中仕切りパーツを比較的簡素な構造且つ比較的小サイズとすることができ、比較的安価に製造できて多品種少量生産にも柔軟に対応することが可能となる。また、複数個の中仕切りパーツによって区画される物品収容ポケットのピッチ寸法を正確に設定することが可能となる。
【００２８】
特に請求項３〜５に記載の中仕切り容器によれば、物品収容ポケットへの収容対象物が精密電子部品である場合に、その保管や搬送用の容器として役立つのみならず精密電子部品の品質検査用トレーとしても使用することができ、しかも品質検査用トレーとして使用した場合には検査ミスを極力防止可能となる。
【発明を実施するための最良の形態】
【００２９】
本発明の一実施形態を図面を参照しつつ説明する。図１〜図７に示す中仕切り容器は、主として精密電子部品の一時保管及び搬送用に設計されたものであり、精密電子部品の品質検査装置（テスター）と組み合わされる品質検査用トレーとしても使用可能な多目的多機能型の中仕切り容器である。この中仕切り容器は、容器本体１と、その容器本体１に対して着脱自在な複数個の中仕切りパーツ２とから構成される。
【００３０】
（容器本体について）：
図１〜図５に示すように、容器本体１は、平面矩形状で水平な底壁１１と、その底壁１１の４つの周縁部から略垂直に立設された４つの側壁１２，１３とを備えている。前後一対をなす２つの側壁１２，１２は対向関係にあり、左右一対をなす２つの側壁１３，１３も対向関係にある。底壁１１及び四つの側壁１２，１３により、容器本体１には上方に開口した収容空間が構築されている。また、その収容空間内において底壁１１の上面側には、複数のパーツ保持壁１４（本例では７つ）が設けられている。これら７つのパーツ保持壁１４は互いに平行で、左右の側壁１３に対しても平行に延びている。隣り合う二つのパーツ保持壁１４間の間隔、及び、左又は右の側壁１３とその隣に位置するパーツ保持壁１４との間隔はいずれも等しく、且つ、その間隔は中仕切りパーツ２の横幅に相当する長さに設定されている。
【００３１】
７つのパーツ保持壁１４の各々はその根元部分が底壁１１に連結一体化されると共に、各パーツ保持壁１４の長手方向両端部がそれぞれ前又は後の側壁１２に連結一体化されている。つまり、底壁１１、４つの側壁１２，１３及び７つのパーツ保持壁１４を具備する容器本体１は、例えばポリプロピレン等の合成樹脂を材料として成形用金型装置により一体成形したものである。このため、型抜きの必要上、少なくとも４つの側壁１２，１３の各内側面および７つのパーツ保持壁１４の両側面には抜き勾配が付与されており、これらの側面は、底壁１１の水平な上面に対して完全直立しておらず微妙に傾斜している。
【００３２】
図２〜図４に示すように、各パーツ保持壁１４の各側面には、左右一対の溝構成用リブ（以下、溝リブ１５ａ，１５ｂという）からなる溝リブ対１５が複数対（本例では３３対）突設されている。パーツ保持壁１４の各側面には、３３の溝リブ対１５がパーツ保持壁１４の長手方向に沿って等間隔で横並び配列されている。これら溝リブ対１５の配列ピッチは後記ポケットピッチに一致する。一つの溝リブ対１５を構築する左右溝リブ１５ａ，１５ｂは、容器本体１の型成形時に同時成形されたものであり、パーツ保持壁１４に一体化している。
【００３３】
左右の溝リブ１５ａ，１５ｂの各々は垂直方向に延びており、これら二つの溝リブ１５ａ，１５ｂ間には、垂直方向に延びる係合保持部としての保持溝１６が構築されている（図４参照）。各保持溝１６には、その上端から下端に向けて中仕切りパーツ２の横幅方向両端部（つまり両サイド）が嵌入される。パーツ保持壁１４の各側面における保持溝１６の配列ピッチはポケットピッチに一致する。溝リブ１５ａ，１５ｂは、その下端部（基端部）から上端部（先端部）に向かうほど先細り傾向となるように幅が連続変化している。従って、保持溝１６を構築する二つの溝リブ１５ａ，１５ｂ間の間隔（即ち保持溝１６の幅Ｗ１）も、保持溝１６の下端部から上端部に向かうほど次第に広くなっている。
【００３４】
図４に示すように、左右の溝リブ１５ａ，１５ｂの上端部には、横長な溝状の係合凹部１７がそれぞれ形成されている。左溝リブ１５ａの係合凹部１７及び右溝リブ１５ｂの係合凹部１７は、互いに向き合って保持溝１６に面している。これら一対の係合凹部１７は、保持溝１６内に中仕切りパーツ２を安定保持することに関与する。
【００３５】
尚、図１及び図２からわかるように、容器本体１の左右側壁１３の各々の内側面にも、前記７つのパーツ保持壁１４の各側面に形成されたと同様の溝リブ対１５（溝リブ１５ａ，１５ｂ）及び保持溝１６が、側壁１３の長手方向に沿って等間隔で横並び配列されている。つまり本実施形態では、７つのパーツ保持壁１４と平行に延びる２つの側壁１３も、それぞれと対向するパーツ保持壁１４と協働して中仕切りパーツ２の保持固定に関与する「パーツ保持壁」としての役割を担う。従って、本実施形態の容器本体１では、７つのパーツ保持壁１４及び左右側壁１３からなる実質的に９つのパーツ保持壁により、それらの間に合計８列の中仕切りパーツ配列用空間が確保されている。
【００３６】
また、図２及び図３に示すように、底壁１１には前記中仕切りパーツ配列用空間の各列において、複数の挿通孔１８が並設されている。本実施形態では、一列あたり３２個の挿通孔１８が設けられており、これら挿通孔１８の配列ピッチはポケットピッチに一致している。各挿通孔１８は底壁１１を貫通しており、その内径は、図示しない直立型の突き上げ棒（又は物品浮上用ロッド）を上下に往復動させるに足る大きさに設定されている。
【００３７】
（中仕切りパーツについて）：
図６（Ａ），（Ｂ）及び図７に示すように、中仕切りパーツ２は、垂立する薄板状の背板２１と、その背板２１の正面（表面）側に突設された左右一対のポケット側壁部２２と、同じく背板２１の正面側に突設されたポケット底壁部２３とを少なくとも有している。この中仕切りパーツ２を容器本体１の隣り合う二つのパーツ保持壁（１３，１４）間に装着する際には、背板２１の横幅方向両端部（以下、両サイド２４という）がそれぞれのパーツ保持壁の保持溝１６に対して垂直に挿入される（図７参照）。
【００３８】
背板２１は正面から見てやや縦長の略長方形状をしているが、その上辺での横幅Ｗ２は下辺での横幅Ｗ３よりも若干大きく設定されており（Ｗ３＜Ｗ２）、正確には倒置した台形状をなす。例えば、背板の高さ＝７０ｍｍ，Ｗ２＝５８ｍｍ，Ｗ３＝５６ｍｍといった具合である。このため、背板２１の左右両辺を構成する両サイド２４の端面は直立面ではなく微妙に傾斜しており、その傾斜の程度は、前記容器本体１における左右側壁１３の内側面及びパーツ保持壁１４の側面における抜き勾配の傾斜角に対応している。つまり、前記中仕切りパーツ２における背板の両サイド２４の微妙な傾斜は、隣り合う二つのパーツ保持壁（１３，１４）の相対向する側面の抜き勾配に符合するように設定されている。
【００３９】
また、背板２１は概して薄板状をなしているがその厚みは均一ではなく、少なくとも背板の両サイド２４においては下から上に向かって肉厚が次第に厚くなっており、両サイド２４の上端部の厚みＴ２は下端部の厚みＴ３よりも厚く設定されている（Ｔ３＜Ｔ２）。例えば、Ｔ２＝３ｍｍ，Ｔ３＝２ｍｍといった具合である。背板の両サイド２４における不均一な肉厚設定は、各サイド２４がそれぞれ対応する保持溝１６に挿入されることを慮り、保持溝１６の幅Ｗ１が下から上に向って次第に広くなっていることに対応させたものである。
【００４０】
背板２１の正面側には、その横幅方向に所定間隔を隔てた左右一対のポケット側壁部２２と、ポケット底壁部２３とが突設されている。各ポケット側壁部２２は、背板の両サイド２４から所定距離（例えば１０ｍｍ）だけ内側に位置して垂直方向に延びている。二つのポケット側壁部２２の各下端部は、水平に延びるポケット底壁部２３によって連結されている。他方、二つのポケット側壁部２２のそれぞれの上端部からは、水平フランジ状の係止部２５が外方向に延びている。これら左右一対の係止部２５は、当該中仕切りパーツ２を二つの保持溝１６間に装着したときに、各保持溝１６を構成する一対の溝リブ１５ａ，１５ｂの上端部に当接する。
【００４１】
図２，図３及び図７に示すように、複数個の中仕切りパーツ２が二つのパーツ保持壁（１３，１４）間に直列配置状態で保持されたとき、前後に並んだ二つの中仕切りパーツ２間には、一方の中仕切りパーツ２の背板２１の背面（裏面）、並びに、他方の中仕切りパーツ２の背板２１の正面（表面）、左右のポケット側壁部２２の内面及びポケット底壁部２３の上面の合計５つの面によって一単位の物品収容ポケットが区画形成される。
【００４２】
図６及び図７に示すように、前記物品収容ポケット内に位置すべく、背板２１の正面側には、左右一対の位置決めリブ２６が突設されている。各位置決めリブ２６の背板２１からの突出量ｈ１は、ポケット側壁部２２及びポケット底壁部２３の背板２１からの突出量ｈ２よりも少なく、その突出量の差（ｈ２−ｈ１）は物品収容ポケット内に直立状態で収容される物品３（図６（Ａ）に二点鎖線で示す）の肉厚との関係で決定される。即ち、位置決めリブ２６は物品収容ポケット内における物品３の前後方向への位置決めに関与し、その突出量ｈ１は収容された物品３の前後方向への位置ずれを規制し得る大きさに設定されている。
【００４３】
背板の両サイド２４のそれぞれの上端部には、背板２１の正面側及び背面側の双方において、横長かまぼこ状の係合凸部２７が突設されている。これらの係合凸部２７は、前記パーツ保持壁（１３，１４）の溝リブ１５ａ，１５ｂに形成された係合凹部１７と対応するものである。故に、中仕切りパーツ２の保持溝１６への装着時には、背板両サイド２４の係合凸部２７と溝リブ対１５の係合凹部１７との相互係合関係に基づいて、中仕切りパーツ２が隣り合う二つのパーツ保持壁間から外れ難くなる。
【００４４】
また、前記中仕切りパーツのポケット底壁部２３には、垂直方向に貫通する上下連通用の凹部（又は孔）２８が形成されている。中仕切りパーツ２を容器本体１に装着したとき、その上下連通用凹部２８は底壁１１に設けられた前記複数の挿通孔１８のいずれか一つの真上に位置する。つまり、上下連通用凹部２８及び底壁の挿通孔１８は、容器本体１の下側から容器内に直立型の突き上げ棒（又は物品浮上用ロッド）が進入するのを許容し、その棒でポケット内から物品３を押し上げ可能とするものである。
【００４５】
更に、背板２１の略中央には、スリット２９が開口形成されている。このスリット２９は、左右の位置決めリブ２６間にあって縦長長方形状に切り欠き形成され、上方に開口した凹部となっている。このスリット２９は、物品収容ポケットに対して物品３を上方から差し入れ又は物品収容ポケットから物品３を上方に抜き取るための自動装填装置（例えばロボットハンドの類）がその動作時に中仕切りパーツ２（特に背板２１）と干渉するのを回避するために設けられたものである。
【００４６】
尚、図６及び図７に示す中仕切りパーツ２は、例えばポリプロピレン等の合成樹脂を材料として成形用金型装置により一体成形したものである。
【００４７】
（容器の使用方法等について）：
本実施形態の中仕切り容器は、容器本体１に対し合計２５６（＝３２×８）個の中仕切りパーツ２を装着することで完成する。パーツ２の装着に際しては図７に示すように、隣り合う二つのパーツ保持壁（１３，１４）において対向する二つの溝リブ対１５の直上に中仕切りパーツ２を位置させ、その背板の両サイド２４がそれぞれに対応する溝リブ対１５の保持溝１６内に進入するように中仕切りパーツ２を底壁１１に向けて差し込む。すると、背板２１の下端部が底壁１１の上面に達すると同時に、両サイド２４の係合凸部２７が溝リブ対１５側の係合凹部１７に係合すると共に、背板上端左右の係止部２５がそれぞれに対応する溝リブ対１５の上端部に当接する。背板側の各係合凸部２７が保持溝側の各係合凹部１７に係合することで中仕切りパーツ２が保持溝１６から容易に外れなくなると共に、中仕切りパーツ２の垂直方向位置決めが完了する。また、背板の両サイド２４が両保持溝１６内に嵌入することで中仕切りパーツ２の前後及び左右方向への位置決めが完了する。こうして図２及び図７に示すように、複数個の中仕切りパーツ２が二つのパーツ保持壁（１３，１４）間において直列配置されることにより、前後に隣り合うパーツ２間には前述のような物品収容ポケットが構築される。
【００４８】
尚、図２及び図３に示すように、各パーツ保持壁（１３，１４）の最前端側（即ち前側壁１２の直近）に位置する溝リブ対１５の保持溝１６にだけは、前記中仕切りパーツ２とは異なる閉塞板４が装着される。この閉塞板４は、中仕切りパーツ２からその正面側の突設部位（２２，２３，２５，２６）を除去した背板２１に相当する部材であり、背板２１の両サイド２４及びスリット２９に相当する部位を有する板状部材である。つまり、各パーツ保持壁に沿った８列の中仕切りパーツ配列用空間の各列には、３２個の中仕切りパーツ２及び１枚の閉塞板４が装着されることで、所定のポケットピッチにて直列配置された都合３２マスの物品収容ポケットが構築される。
【００４９】
図２，３，５及び６（Ａ）において破線又は二点鎖線で示すように、二つの中仕切りパーツ２間に構築される各物品収容ポケットには、物品３が収容される。各ポケットの高さ及び横幅をそれぞれ決定するポケット側壁部２２の高さ及び左右のポケット側壁部２２間の間隔（＝ポケット底壁部２３の横幅）は、収容対象物たる物品３の高さ及び横幅の寸法に合わせて寸法設定されている。また、各ポケット内における実質的な収容空間の厚み（前後幅）を決定する前記ポケット側壁部２２と位置決めリブ２６との突出量差（ｈ２−ｈ１）は、物品３の肉厚寸法に合わせて寸法設定されている。このため、物品収容ポケットに収容された物品３は、当該ポケットの構成部位による規制又は位置決め作用により前後方向、左右方向及び下方向（重力方向）への移動を規制されて安定保持される。
【００５０】
物品３が精密電子部品である場合、２５６個の精密電子部品３を収容した本実施形態の中仕切り容器は、図示しない品質検査装置（テスター）と協働して２５６個の精密電子部品３に対し同時に品質検査を施すための品質検査用トレーとして機能する。例えば、２５６対のテスト端子を具備した品質検査装置の下方に、２５６個の精密電子部品３を収容した中仕切り容器を対向配置する。そして、各ポケットに収容された各精密電子部品３の上端部から突出する一対の導電端子３１（図６（Ａ）参照）に対して、テスト端子対を接触させる。その際、各テスト端子対を、パーツ保持壁（１３，１４）に沿って図２及び図３に矢印Ｙで示す方向（後側壁１２から前側壁１２に向かう方向）に水平移動させ、各精密電子部品３の一対の導電端子３１をその前方側に位置する中仕切りパーツ２の背板２１の上部背面に対して押し付ける。
【００５１】
背板２１の両サイド２４は左右のパーツ保持壁（１３，１４）に設けられた溝リブ対１５の保持溝１６に密に嵌合しているため、背板２１の上部背面が精密電子部品の各導電端子３１を介してテスト端子対からの押圧力を受けても、その背板２１が後退したり撓んだりすることがない。また、背板２１は直立しているので、背板２１の上部背面に対し面直方向に作用する押圧力をしっかりと受け止める。それ故、二つのパーツ保持壁間に確固として架設された中仕切りパーツ２の背板２１がバックアップ（裏支持物）となってテスト端子対が前記一対の導電端子３１に強く押し付けられ、両端子対間の機械的及び電気的接触が確実となる。仮に各精密電子部品３とテスト端子対との間に不通電が認められたような場合でも、それはテスト端子対と導電端子３１対との接触不良によるものではなく、その精密電子部品３の内部的回路不良が原因であると自信を持って断定できる。故に本実施形態によれば、従来よりも品質検査ミスの発生頻度を大幅に低減することができる。
【００５２】
本実施形態によれば、容器本体の底壁１１の上面に複数のパーツ保持壁１４を設けているため、中仕切りパーツ２の横幅（Ｗ２，Ｗ３）を比較的小さく設定したとしても、その横幅に合わせてパーツ保持壁間の平行間隔を設定できる。このことは、中仕切りパーツ２自体の構造の簡素化及びサイズの小型化を容易にし、中仕切りパーツ２のための金型投資を従来よりも低減させて多品種少量生産を可能にする。また、保持溝１６が設けられたパーツ保持壁（１３，１４）は底壁１１に一体化されているため、底壁及びパーツ保持壁の一体成形時に、これら保持溝１６の並び間隔（ピッチ寸法又はインターバル）を一義的に確定させることができる。従って、各保持溝１６に中仕切りパーツ２を装着した後にできる物品収容ポケットの配列間隔（ポケットピッチ寸法）も正確に保たれる。
【００５３】
パーツ保持壁（１３，１４）の側面に形成された保持溝１６は垂直方向に延びており、それぞれの保持溝１６に中仕切りパーツ背板の両サイド２４を挿入することにより、中仕切りパーツ２が隣り合う二つのパーツ保持壁間に架け渡されて保持されると共に、その中仕切りパーツの背板２１が直立支持される。このため、前述のように背板２１に対してその面直方向への押圧力又は荷重が作用したとしても、背板の両サイド２４とそれぞれに対応する保持溝１６との係合に基づき背板２１は強固に保持され、背板２１が変位したり弾性変形したりすることがない。従って、本実施形態の中仕切り容器は、物品収容ポケットを区画する５面のうちでも最も重要な役割を果たす背板２１について高い直立性が要求される精密電子部品の品質検査用トレーとしての用途に適している。
【図面の簡単な説明】
【００５４】
【図１】一実施形態に従う中仕切り容器の斜視図。
【図２】左右二分割仮想中心面Ｄより片側半分を示す中仕切り容器の平面図。
【図３】図２のＡ−Ａ線に沿った断面図。
【図４】図３の一部を拡大して示す拡大図。
【図５】図２のＢ−Ｂ線に沿った断面図。
【図６】中仕切りパーツを示し、（Ａ）は正面図、（Ｂ）は側面図。
【図７】中仕切りパーツの表側及び裏側からの斜視図、並びに、中仕切りパーツを一対のパーツ保持壁に装着した状態を示す部分斜視図。
【符号の説明】
【００５５】
１…容器本体，２…中仕切りパーツ，３…物品（収容対象物），４…閉塞板，１１…底壁，１２…前後側壁，１３…左右側壁（パーツ保持壁でもある），１４…パーツ保持壁，１５…溝リブ対，１６…保持溝（係合保持部），１７…係合凹部，１８…底壁の挿通孔，２１…背板，２２…左右のポケット側壁部，２３…ポケット底壁部，２４…背板の両サイド（横幅方向両端部），２５…水平フランジ状の係止部，２６…位置決めリブ，２７…係合凸部，２８…上下連通用の凹部又は孔，Ｄ…容器本体を左右二分割する仮想中心面。
【図１】
2005247347.tif 000003
【図２】
2005247347.tif 000004
【図３】
2005247347.tif 000005
【図４】
2005247347.tif 000006
【図５】
2005247347.tif 000007
【図６】
2005247347.tif 000008
【図７】
2005247347.tif 000009